(57)【要約】【課題】固定部材による締結動作の影響を受けることなく正確に発光素子を位置決めでき、高精度な光軸合わせを効率良く遂行することが可能な発光素子保持機構を提供する。【解決手段】走査光学装置１の光源部３に備えられた発光素子保持機構３０は、レーザダイオード４０を保持するブラケット３１と、このブラケット３１が取り付けられるベース部材３２と、ブラケット３１をベース部材３２に固定するためのねじ３３とを備える。さらに、ブラケット３１とベース部材３２とは、互いが接触する面に沿って伸び、対向する方向に空けられた同じ幅の長穴５１、５２を、各々対応する箇所に備え、これらの長穴５１、５２の伸びる方向が交差している。これにより、ブラケット３１とベース部材３２とを位置調整した後、ねじ３３でこれらを固定する前に、２個の長穴５１、５２の交差箇所に連続して通す形で、１本のピン状部材６０を挿入することができる。【選択図】図７
2008197492.tif 000002
【特許請求の範囲】
【請求項１】
発光素子を保持するブラケットと、このブラケットが取り付けられるベース部材と、ブラケットをベース部材に固定するための固定部材とを備えるとともに、前記ブラケットと前記ベース部材とは、互いが接触する面に沿って伸び、対向する方向に空けられた同じ幅の長穴を、各々対応する箇所に備え、これらの長穴の伸びる方向が交差することを特徴とする発光素子保持機構。
【請求項２】
前記ブラケットに備えられた長穴は前記ベース部材側の幅が狭いテーパ状をなす、及び／または、ベース部材に備えられた長穴はブラケット側の幅が広いテーパ状をなすことを特徴とする請求項１に記載の発光素子保持機構。
【請求項３】
請求項１または請求項２に記載の発光素子保持機構を備えたことを特徴とする走査光学装置。
【発明の詳細な説明】
【技術分野】
【０００１】
本発明は、レーザダイオードなどの発光素子を保持するための保持機構に関する。また、この発光素子保持機構を備えるとともに、複写機やプリンタ、ファクシミリといった画像形成装置に搭載され、像担持体の表面を光ビーム（例えばレーザ光）で露光走査するための走査光学装置に関する。
【背景技術】
【０００２】
複写機やプリンタ等に用いられる走査光学装置は、一般的に、感光体ドラムに代表される像担持体の表面、すなわち被走査面上を走査しながら露光し、感光体ドラム表面に所定の静電潜像を形成するものである。走査光学装置において、光源から照射される、例えばレーザ光のような光ビームは、光偏向器によって主走査方向に偏向され、反射ミラーによって被走査面に向けて出射される。
【０００３】
詳細には、走査光学装置は、一般的に、レーザダイオードなどといった発光素子を備えている。そして、発光素子から照射されたレーザ光は、光学素子のひとつであるコリメータレンズによって拡散光から平行光にされ、光偏向器であるポリゴンミラーに入射する。ポリゴンミラーは、その反射面でレーザ光を反射し、主走査方向に偏向する。主走査方向に偏向された各レーザ光は、続いてｆθレンズによって感光体ドラムの軸線方向に平行に等速度偏向され、反射ミラーを介して、感光体ドラム表面に向かって出射され、結像される。
【０００４】
このような走査光学装置においては、高画質な画像形成を実現するために、被走査面上での光ビームの照射位置やスポット径を好適な状態にして走査させる必要がある。このため、レーザダイオードをコリメータレンズに対して適正に配置して、光ビームの光軸を合わせなければならない。そこで、レーザダイオードなどの発光素子の位置を調整して固定する様々な手法が提案され、その例を特許文献１及び２に見ることができる。特許文献１及び２に記載された走査光学装置（レーザ走査装置、マルチビーム走査装置）は、レーザダイオードを保持したレーザダイオード保持部材やレーザホルダを、ベース部材や回路基板に固定するようにしている。
【特許文献１】特開２０００−８９１４７号公報（第４頁、図３）
【特許文献２】特開２００２−３４１２７６号公報（第５−６頁、図３）
【発明の開示】
【発明が解決しようとする課題】
【０００５】
特許文献１及び２に記載された走査光学装置（レーザ走査装置、マルチビーム走査装置）は、レーザダイオードを保持したレーザダイオード保持部材やレーザホルダを、複数のねじやビスを用いてベース部材や回路基板に固定することにより、レーザダイオードを高精度に配置しようとしている。しかしながら、これらの機構では、ねじやビスでレーザダイオード保持部材やレーザホルダを締め付ける際、ねじやビスの回転に従って、レーザダイオード保持部材やレーザホルダも一緒に回転移動してしまう可能性が高い。これにより、レーザダイオードの位置を再調整する必要があり、光軸合わせの作業効率が著しく低下する恐れがある。
【０００６】
本発明は上記の点に鑑みなされたものであり、レーザダイオードなどの発光素子を適正な位置に配置するに際し、ねじなどの固定部材による締結動作の影響を受けることなく、正確に発光素子を位置決めすることができ、高精度な光軸合わせを効率良く遂行することが可能な発光素子保持機構を提供することを目的とする。また、このような発光素子保持機構を備え、生産性の向上が図られた走査光学装置を提供することを目的とする。
【課題を解決するための手段】
【０００７】
上記の課題を解決するため、本発明は、発光素子保持機構において、発光素子を保持するブラケットと、このブラケットが取り付けられるベース部材と、ブラケットをベース部材に固定するための固定部材とを備えるとともに、前記ブラケットと前記ベース部材とは、互いが接触する面に沿って伸び、対向する方向に空けられた同じ幅の長穴を、各々対応する箇所に備え、これらの長穴の伸びる方向が交差することとした。
【０００８】
また、上記構成の発光素子保持機構において、前記ブラケットに備えられた長穴は前記ベース部材側の幅が狭いテーパ状をなす、及び／または、ベース部材に備えられた長穴はブラケット側の幅が広いテーパ状をなすこととした。
【０００９】
また本発明では、上記発光素子保持機構を走査光学装置に備えることとした。
【発明の効果】
【００１０】
本発明の構成によれば、発光素子保持機構において、発光素子を保持するブラケットと、このブラケットが取り付けられるベース部材と、ブラケットをベース部材に固定するための固定部材とを備えるとともに、前記ブラケットと前記ベース部材とは、互いが接触する面に沿って伸び、対向する方向に空けられた同じ幅の長穴を、各々対応する箇所に備え、これらの長穴の伸びる方向が交差することとしたので、ブラケットとベース部材とを位置調整した後、固定部材でこれらを固定する前に、２個の長穴の交差箇所に連続して通す形で、１本のピン状部材を挿入することができる。これにより、ねじのような固定部材による締結動作を行っても、２個の長穴の間でピン状部材が引っ掛かり、ブラケットが一緒に回転してしまうのを防止することができる。さらに、２個の長穴の箇所をずらすことにより、これらの交差箇所を任意に移動させることができる。したがって、調整範囲を広くとることができ、光軸合わせの高精度化を向上させることが可能である。このようにして、固定部材による締結動作の影響を受けることなく、正確に発光素子を位置決めすることができ、高精度な光軸合わせを効率良く遂行することが可能な発光素子保持機構を提供することができる。
【００１１】
そして、前記ブラケットに備えられた長穴は前記ベース部材側の幅が狭いテーパ状をなす、及び／または、ベース部材に備えられた長穴はブラケット側の幅が広いテーパ状をなすこととしたので、２個の長穴の交差箇所に１本のピン状部材を挿入する際、ブラケット側からベース部材に向かってピン状部材を挿入し易くなる。これにより、ブラケット、すなわち発光素子の位置決め作業が簡便になり、光軸合わせの作業効率を一層向上させることが可能である。
【００１２】
また本発明では、上記発光素子保持機構を走査光学装置に備えることとしたので、レーザダイオードなどの発光素子を適正な位置に配置するに際し、ねじなどの固定部材による締結動作の影響を受けることなく、正確に発光素子を位置決めすることができ、高精度な光軸合わせを効率良く遂行することが可能な、生産性の向上が図られた走査光学装置を提供することができる。
【発明を実施するための最良の形態】
【００１３】
以下、本発明の実施形態を図１〜図１１に基づき説明する。
【００１４】
最初に、本発明の第１の実施形態に係る発光素子保持機構を備えた走査光学装置について、図１及び図２を用いてその構造の概略を説明する。図１は走査光学装置の模型的垂直断面正面図、図２は走査光学装置の模型的上面図である。なお、この走査光学装置は、イエロー、マゼンタ、シアン、ブラックの４色各々に対応した４個の感光体ドラムが備えられたタンデム型の画像形成装置に搭載される走査光学装置として設計されたものとする。
【００１５】
走査光学装置１は、図１及び図２に示すように、ハウジング２の内側に、光源部３、光偏向器１０、光学系２０、及び光センサ４を備えている。
【００１６】
光源部３は、図２に示すように、ハウジング２内の一端に備えられている。走査光学装置１は、イエロー、マゼンタ、シアン、ブラックの４色に対応したものであって、光源部３も独立した４個が設けられている。光源部３に備えられた発光素子は、可視領域の光ビーム、例えば６７０ｎｍ程度のレーザ光を照射する仕様のレーザダイオードで構成されている。この光源部３の詳細な構成については後に説明する。
【００１７】
光源部３の近傍には、光偏向器１０が備えられている。光偏向器１０は、ポリゴンミラー１１と、モータ１２とで構成されている。モータ１２は、図１において垂直方向の軸線中心に、正多角形の平面形状をなすポリゴンミラー１１を回転駆動するものである。その軸線中心に回転するポリゴンミラー１１の周囲には、光を反射する反射面が設けられている。
【００１８】
４箇所の光源部３から照射されたレーザ光ＬＹ、ＬＭ、ＬＣ、ＬＢは、各々、副走査方向（図１の上下方向）に微小角度ずつずれた状態でポリゴンミラー１１周囲の反射面に入射する。ポリゴンミラー１１は、回転しながら、その反射面で各レーザ光を反射し、主走査方向（図２の左右方向）に偏向しつつ、ハウジング２内の他端に向けて導く。
【００１９】
光学系２０は、ハウジング２内の、光偏向器１０にて反射されたレーザ光が進む先の領域に備えられている。光学系２０は、第１ｆθレンズ２１、第２ｆθレンズ２２、及び反射ミラー２３を備えている。
【００２０】
第１ｆθレンズ２１は、光偏向器１０にて反射されたレーザ光ＬＹ、ＬＭ、ＬＣ、ＬＢが進む、そのすぐ先の箇所に配置されている。第１ｆθレンズ２１は、レーザ光ＬＹ、ＬＭ、ＬＣ、ＬＢに対して共用ものであって、１個備えられている。この第１ｆθレンズ２１では、各レーザ光ＬＹ、ＬＭ、ＬＣ、ＬＢが主走査方向において等速度に偏向される。さらに第１ｆθレンズ２１は、ポリゴンミラー１１へのレーザ光ＬＹ、ＬＭ、ＬＣ、ＬＢの入射角や、ポリゴンミラー１１の面倒れ等といった走査上の悪影響を補正しながら、各レーザ光ＬＹ、ＬＭ、ＬＣ、ＬＢの副走査方向の角度を若干広げる。
【００２１】
第１ｆθレンズ２１を通過したイエロー用のレーザ光ＬＹは、ハウジング２の内底面近傍の反射ミラー２３Ｙａで反射し、第１ｆθレンズ２１の方向に折り返される。その後、レーザ光ＬＹは、第２ｆθレンズ２２Ｙを通過し、ハウジング２の上端近傍の反射ミラー２３Ｙｂにて反射され、被走査面であるイエロー用の感光体ドラム１００Ｙ表面に到達、結像される。
【００２２】
第１ｆθレンズ２１を通過したマゼンタ用のレーザ光ＬＭも、イエロー用のレーザ光ＬＹと同様に、ハウジング２の内底面近傍の反射ミラー２３Ｍａで反射し、第１ｆθレンズ２１の方向に折り返される。その後、レーザ光ＬＭは、第２ｆθレンズ２２Ｍを通過し、ハウジング２の上端近傍の反射ミラー２３Ｍｂにて反射され、被走査面であるマゼンタ用の感光体ドラム１００Ｍ表面に到達、結像される。
【００２３】
第１ｆθレンズ２１を通過したシアン用のレーザ光ＬＣは、ハウジング２の内底面近傍の反射ミラー２３Ｃａで略垂直上方に向かって反射され、続いてハウジング２の上端近傍の反射ミラー２３Ｃｂで略水平方向に、第１ｆθレンズ２１の方向に折り返される。その後、レーザ光ＬＣは、第２ｆθレンズ２２Ｃを通過し、反射ミラー２３Ｃｃにて反射され、被走査面であるシアン用の感光体ドラム１００Ｃ表面に到達、結像される。
【００２４】
第１ｆθレンズ２１を通過したブラック用のレーザ光ＬＢは、反射ミラーを介すことなく直接第２ｆθレンズ２２Ｂを通過する。その後、レーザ光ＬＢは、反射ミラー２３Ｂにて反射され、被走査面であるブラック用の感光体ドラム１００Ｂ表面に到達、結像される。
【００２５】
光センサ４は、図２に示すように、反射ミラー２３Ｙａ、及び第２ｆθレンズ２２Ｍの近傍であって、主走査方向の外側寄りの箇所に配置されている。光センサ４は、光偏向器１０のポリゴンミラー１１にて反射されたレーザ光のうち、被走査面の有効露光領域外のものを受光する。光センサ４が受光するレーザ光は、第２ｆθレンズ２２Ｂの近傍に備えられた反射ミラー５で、光センサ４に向かって反射される。光センサ４は、４色各々に対応したレーザ光ＬＹ、ＬＭ、ＬＣ、ＬＢの走査タイミングを計るための同期検知センサであって、ＢＤセンサと呼ばれる。
【００２６】
続いて、光源部３の構成について、図２に加えて、図３〜図９を用いて詳細に説明する。図３は光源部に備えられた発光素子保持機構の斜視図、図４は発光素子を保持したブラケットの斜視図、図５はベース部材の斜視図、図６は発光素子保持機構の正面図、図７は発光素子保持機構の背面図、図８は発光素子保持機構の上面図、図９は図８の発光素子保持機構の長穴の箇所を示す水平断面部分拡大図である。
【００２７】
光源部３は、前述のように、図２に示すハウジング２内の一端に備えられている。４色のレーザ光に対応した４箇所の光源部３は、各々構造が共通している。
【００２８】
光源部３には、図３に示すような発光素子保持機構３０が備えられている。この発光素子保持機構３０に、発光素子であるレーザダイオード４０が保持されている。レーザ光は、図３において右斜め上方に向かって照射される。発光素子保持機構３０は、ブラケット３１と、ベース部材３２、固定部材であるねじ３３とを備えている。
【００２９】
ブラケット３１は、図４に示すように、角部が丸められた長方形の平板形状の部材で構成され、その中央部に発光素子保持部３４を備えている。レーザダイオード４０はこの発光素子保持部３４に嵌め込まれ、レーザ光は右斜め上方に向かって照射される。ブラケット３１の、長方形状の対角をなす箇所には、２個のねじ用貫通孔３５が設けられている。固定部材であるねじ３３（図３参照）は、ねじ用貫通孔３５に通して、ブラケット３１をベース部材３２に固定する。
【００３０】
ベース部材３２は、図５に示すように、ブラケット支持部３２ａと、レンズ保持部３２ｂとを備えている。
【００３１】
ブラケット支持部３２ａは、ブラケット３１と同様で、ブラケット３１よりも大きな、角部が丸められた長方形の平板形状の構成をなしている。ブラケット支持部３２ａの中央には、レーザダイオード４０（図４参照）が照射するレーザ光が通過する光路用貫通孔３６が設けられている。ブラケット支持部３２ａの、長方形状の対角をなす箇所には、２個のねじ穴３７が設けられている。このねじ穴３７は、ブラケット３１のねじ用貫通孔３５に対応する箇所に設けられている。ねじ穴３７の内周面にはめねじが切られており、ねじ用貫通孔３５に通されたねじ３３と係合して、ブラケット３１がベース部材３２に固定される。
【００３２】
レンズ保持部３２ｂは、ブラケット支持部３２ａの底面から、上下方向中央部より低い箇所までのブロックで構成されている。レンズ保持部３２ｂの上面には、図６〜図８に示すように、コリメータレンズ４１を保持するための斜面３８が２箇所に形設されている。この２箇所の斜面３８の間にコリメータレンズ４１を配置することにより、円形のコリメータレンズ４１が転がることなく、レーザダイオード４０に対応した箇所に保持される。
【００３３】
このような構成の発光素子保持機構３０のブラケット３１とベース部材３２には、各々、長穴５１、５２が備えられている。これらの長穴５１、５２は、図３〜図５及び図７に示すように、背面側から見て右下の箇所であって、各々対応する箇所に設けられている。そして、長穴５１、５２は、互いに長方形状をなし、その幅（短辺側の長さ）が同じである。
【００３４】
ブラケット３１に備えられた長穴５１は、図４、図６及び図７に示すように、ベース部材３２と接触する面に沿ってまっすぐ上下方向に伸びている。そして、長穴５１は、ベース部材３２に備えられた長穴５２と対向する方向に、ブラケット３１を貫通するように空けられている（図４及び図９参照）。
【００３５】
ベース部材３２に備えられた長穴５２は、図５〜図７に示すように、上下方向からやや傾斜させた状態にして、ブラケット３１と接触する面に沿って伸びている。そして、長穴５２は、ブラケット３１に備えられた長穴５１と対向する方向に、ベース部材３２のブラケット支持部３２ａの厚み程度の深さまで空けられている（図５及び図９参照）。
【００３６】
このようにして形設された長穴５１、５２は、図６及び図７に示すように、互いの伸びる方向が交差している。そして、互いに幅が同じであるので、交差箇所にピン状部材６０（図３参照）を挿入可能な空間が存在する。
【００３７】
次に、上記構成の発光素子保持機構３０による、レーザダイオード４０の位置決め方法について、図３を用いて説明する。
【００３８】
まず、レンズ保持部３２ｂにコリメータレンズ４１を保持したベース部材３２のブラケット支持部３２ａに対して、レーザダイオード４０を保持したブラケット３１を押し当てながら位置調整を行う。なお、レーザダイオードがモノリシックレーザダイオードである場合、位置調整の後、ピッチ調整のためにブラケット３１を回転させて調整する。
【００３９】
続いて、ブラケット３１の長穴５１と、ベース部材３２の長穴５２とが交差する箇所に、ピン状部材６０を挿入する。
【００４０】
そして、ブラケット３１のねじ用貫通孔３５、及びベース部材３２のねじ穴３７に対してねじ３３を嵌め込んで、締め付ける。このとき、ねじ３３の締め付けにより、ブラケット３１が回転移動しようとするが、ピン状部材６０の存在により、ブラケット３１が変位することはない。
【００４１】
ねじ３３による締結が済むと、ピン状部材６０は抜き取る。ピン状部材６０は、他の発光素子保持機構３０の、レーザダイオード４０の位置決め作業に用いることができる。なお、ピン状部材６０は、長穴５１、５２内に残しておいても構わない。
【００４２】
このようにして、発光素子保持機構３０において、発光素子であるレーザダイオード４０を保持するブラケット３１と、このブラケット３１が取り付けられるベース部材３２と、ブラケット３１をベース部材３２に固定するための固定部材であるねじ３３とを備えるとともに、ブラケット３１とベース部材３２とは、互いが接触する面に沿って伸び、対向する方向に空けられた同じ幅の長穴５１、５２を、各々対応する箇所に備え、これらの長穴５１、５２の伸びる方向が交差しているので、ブラケット３１とベース部材３２とを位置調整した後、ねじ３３でこれらを固定する前に、２個の長穴５１、５２の交差箇所に連続して通す形で、１本のピン状部材６０を挿入することができる。これにより、ねじ３３のような固定部材による締結動作を行っても、２個の長穴５１、５２の間でピン状部材６０が引っ掛かり、ブラケット３１が一緒に回転してしまうのを防止することができる。さらに、２個の長穴５１、５２の箇所をずらすことにより、これらの交差箇所を任意に移動させることができる。したがって、調整範囲を広くとることができ、光軸合わせの高精度化を向上させることが可能である。このようにして、ねじ３３による締結動作の影響を受けることなく、正確にレーザダイオード４０を位置決めすることができ、高精度な光軸合わせを効率良く遂行することが可能な発光素子保持機構３０を提供することができる。
【００４３】
また本発明では、上記発光素子保持機構３０を走査光学装置１に備えたので、レーザダイオード４０などの発光素子を適正な位置に配置するに際し、ねじ３３などの固定部材による締結動作の影響を受けることなく、正確に発光素子を位置決めすることができ、高精度な光軸合わせを効率良く遂行することが可能な、生産性の向上が図られた走査光学装置１を提供することができる。
【００４４】
次に、本発明の第２の実施形態に係る発光素子保持機構の詳細な構成について、図１０を用いて説明する。図１０は、発光素子保持機構の長穴の箇所を示す部分拡大背面図である。なお、この実施形態の基本的な構成は、図１〜図９を用いて説明した前記第１の実施形態と同じであるので、第１の実施形態と共通する構成については図面の記載、及びその説明を省略するものとする。
【００４５】
第２の実施形態に係る発光素子保持機構３０において、ブラケット３１に備えられた長穴５３と、ベース部材３２に備えられた長穴５４とは、図１０に示すように、各々、長穴の両端部が丸められた、所謂オーバル形状をなしている。このようにして、ブラケット３１及びベース部材３２に備えられた長穴は、それらの幅が同じであれば端部の形状は特に限定されるわけではなく、前記第１の実施形態と同様の作用、効果を得ることができる。
【００４６】
次に、本発明の第３の実施形態に係る発光素子保持機構の詳細な構成について、図１１を用いて説明する。図１１は、発光素子保持機構の長穴の箇所を示す水平断面部分拡大図である。なお、この実施形態の基本的な構成は、図１〜図９を用いて説明した前記第１の実施形態と同じであるので、第１の実施形態と共通する構成については図面の記載、及びその説明を省略するものとする。
【００４７】
第３の実施形態に係る発光素子保持機構３０において、ブラケット３１に備えられた長穴５５は、図１１に示すように、断面が、ベース部材３２側の幅が狭いテーパ状をなしている。同様に、ベース部材３２に備えられた長穴５６は、断面が、ブラケット３１側の幅が広いテーパ状をなしている。
【００４８】
これにより、２個の長穴５５、５６の交差箇所に１本のピン状部材６０を挿入する際、ブラケット３１側からベース部材３２に向かってピン状部材６０を挿入し易くなる。したがって、ブラケット３１、すなわちレーザダイオード４０の位置決め作業が簡便になり、光軸合わせの作業効率を一層向上させることが可能である。
【００４９】
以上、本発明の実施形態につき説明したが、本発明の範囲はこれに限定されるものではなく、発明の主旨を逸脱しない範囲で種々の変更を加えて実施することができる。
【００５０】
例えば、本発明の実施形態では、ブラケット３１とベース部材３２とに、ペアとなる長穴を一箇所にのみ設けたが、そのような長穴のペアを複数箇所に設けても構わない。
【００５１】
また、本発明の実施形態では、発光素子保持機構を備えた走査光学装置として、４個の感光体ドラムが備えられたタンデム型の画像形成装置に搭載される走査光学装置を例に掲げて説明したが、対象となる走査光学装置はこの形態に限定されるわけではなく、他のタイプの画像形成装置に搭載される走査光学装置であっても構わない。
【産業上の利用可能性】
【００５２】
本発明は、発光素子保持機構全般において利用可能である。
【図面の簡単な説明】
【００５３】
【図１】本発明の第１の実施形態に係る発光素子保持機構を備えた走査光学装置の模型的垂直断面正面図である。
【図２】図１に示す走査光学装置の模型的上面図である。
【図３】図２の光源部に備えられた発光素子保持機構の斜視図である。
【図４】図３に示すブラケットの斜視図である。
【図５】図３に示すベース部材の斜視図である。
【図６】図３に示す発光素子保持機構の正面図である。
【図７】図３に示す発光素子保持機構の背面図である。
【図８】図３に示す発光素子保持機構の上面図である。
【図９】図８の発光素子保持機構の長穴の箇所を示す水平断面部分拡大図である。
【図１０】本発明の第２の実施形態に係る発光素子保持機構の長穴の箇所を示す部分拡大背面図である。
【図１１】本発明の第３の実施形態に係る発光素子保持機構の長穴の箇所を示す水平断面部分拡大図である。
【符号の説明】
【００５４】
１    走査光学装置
２    ハウジング
３    光源部
１０  光偏向器
１１  ポリゴンミラー
２０  光学系
３０  発光素子保持機構
３１  ブラケット
３２  ベース部材
３３  ねじ（固定部材）
４０  レーザダイオード（発光素子）
４１  コリメータレンズ（光学素子）
５１〜５６  長穴
６０  ピン状部材
【図１】
2008197492.tif 000003
【図２】
2008197492.tif 000004
【図３】
2008197492.tif 000005
【図４】
2008197492.tif 000006
【図５】
2008197492.tif 000007
【図６】
2008197492.tif 000008
【図７】
2008197492.tif 000009
【図８】
2008197492.tif 000010
【図９】
2008197492.tif 000011
【図１０】
2008197492.tif 000012
【図１１】
2008197492.tif 000013